(57)【特許請求の範囲】
【請求項１】
本体内に設置した除湿空気用送風機により、本体内に取込んだ室内空気に含まれる水蒸気を除湿空気用送風機の上流に設置した除湿ロータで吸湿し、乾燥空気として室内に放出し、一方、再生空気用送風機により送風される乾燥した再生空気を再生ヒータで加熱し、再生空気用送風機の下流に設置した除湿ロータに吹きかけ、除湿ロータから水分を奪って高湿となった再生空気を凝縮器にて凝縮する凝縮サイクルと、
再生ヒータの熱量を切換える再生ヒータ制御手段と、
加熱された再生空気の風路上の温度を測定する再生部温度測定手段と、
少なくとも前記再生ヒータの動作を制御するためのプログラムと、
電源を入り切りする運転ボタンと、からなり、
該運転ボタンにより電源が投入されると前記プログラムはリセットされ、前記プログラムの先頭から動作を開始するようになっており、
電源が投入されて前記プログラムによって運転が開始されている期間中、前記再生ヒータ制御手段は再生部温度測定手段の測定した温度が再生ヒータ停止温度に達した場合は一旦再生ヒータをオフにし、復帰温度に低下した場合に再度再生ヒータをあらかじめ設定された熱量でオンにする動作を繰り返し、この動作をあらかじめ設定された所定回数になるまで繰り返した場合は再生ヒータのオン時の熱量をあらかじめ設定された熱量より下げて運転を継続するように制御することを特徴とする除湿乾燥機の制御装置。
【請求項２】
本体内に設置した除湿空気用送風機により、本体内に取込んだ室内空気に含まれる水蒸気を除湿空気用送風機の上流に設置した除湿ロータで吸湿し、乾燥空気として室内に放出し、一方、再生空気用送風機により送風される乾燥した再生空気を再生ヒータで加熱し、再生空気用送風機の下流に設置した除湿ロータに吹きかけ、除湿ロータから水分を奪って高湿となった再生空気を凝縮器にて凝縮する凝縮サイクルと、
再生ヒータの熱量を切換える再生ヒータ制御手段と、
加熱された再生空気の風路上の温度を測定する再生部温度測定手段と、
少なくとも前記再生ヒータの動作を制御するためのプログラムと、
電源を入り切りする運転ボタンと、
操作部からなり、
前記運転ボタンにより電源が投入されると前記プログラムはリセットされ、前記プログラムの先頭から動作を開始するようになっており、
電源が投入されて前記プログラムによって運転が開始されている期間中、前記再生ヒータ制御手段は再生部温度測定手段の測定した温度が再生ヒータ停止温度に達した場合は一旦再生ヒータをオフにし、復帰温度に低下した場合に再度再生ヒータをあらかじめ設定された熱量でオンにする動作を繰り返し、この動作をあらかじめ設定された所定回数になるまで繰り返した場合は再生ヒータのオン時の熱量をあらかじめ設定された熱量より下げて運転を継続するようにし、前記操作部により所定の操作を行った場合には再生ヒータのオン時の熱量をあらかじめ設定された熱量に復帰させるように制御することを特徴とする請求項１記載の除湿乾燥機の制御装置。
【請求項３】
本体内に設置した除湿空気用送風機により、本体内に取込んだ室内空気に含まれる水蒸気を除湿空気用送風機の上流に設置した除湿ロータで吸湿し、乾燥空気として室内に放出し、一方、再生空気用送風機により送風される乾燥した再生空気を再生ヒータで加熱し、再生空気用送風機の下流に設置した除湿ロータに吹きかけ、除湿ロータから水分を奪って高湿となった再生空気を凝縮器にて凝縮する凝縮サイクルと、
再生ヒータの熱量を切換える再生ヒータ制御手段と、
加熱された再生空気の風路上の温度を測定する再生部温度測定手段と、
少なくとも前記再生ヒータの動作を制御するためのプログラムと、
電源を入り切りする運転ボタンと、
室内の湿度を測定する湿度測定手段とからなり、
前記電源運転ボタンにより電源が投入されると前記プログラムはリセットされ、前記プログラムの先頭から動作を開始するようになっており、
電源が投入されて前記プログラムによって運転が開始されている期間中、前記再生ヒータ制御手段は再生部温度測定手段の測定した温度が再生ヒータ停止温度に達した場合は一旦再生ヒータをオフにし、復帰温度に低下した場合に再度再生ヒータをあらかじめ設定された熱量でオンにする動作を繰り返し、この動作をあらかじめ設定された所定回数になるまで繰り返した場合は再生ヒータのオン時の熱量をあらかじめ設定された熱量より下げて運転を継続するようにし、前記湿度測定手段が測定した室内の湿度があらかじめ設定された所定の湿度以上になった場合には再生ヒータのオン時の熱量をあらかじめ設定された熱量に復帰させるように制御することを特徴とする請求項１記載の除湿乾燥機の制御装置。
【発明の詳細な説明】
【技術分野】
【０００１】
本発明は、除湿ロータと温度検知手段を備えた除湿乾燥機に関する。
【背景技術】
【０００２】
従来から、本体内に設置した除湿空気用送風機により、本体内に取込んだ室内空気に含まれる水蒸気を除湿空気用送風機の上流に設置した除湿ロータで吸湿し、乾燥空気として室内に放出し、一方、再生空気用送風機により送風される乾燥した再生空気を再生ヒータで加熱し、再生空気用送風機の下流に設置した除湿ロータに吹きかけ、除湿ロータから水分を奪って高湿となった再生空気を凝縮器にて凝縮して除湿を行う除湿乾燥機が提案されている。
【０００３】
しかしながら前述のような従来の除湿乾燥機では、たとえば除湿運転中にコンセントを抜いたりして運転停止を選択せずに強制的に運転を停止させた場合、内部の冷却運転を行なわずに運転を停止するため、内部は冷却されないことになる。その後、短時間後に運転を再開すると加熱された再生空気の風路上の温度が異常に上昇し、異常停止となってしまい運転を継続できないという問題があった。
【０００４】
また、雰囲気の湿度が低い状態（約５０％以下）で運転すると除湿ロータが十分に吸湿できず、その状態で除湿ロータに加熱された再生空気があたると気化熱による温度降下がないため、加熱された再生空気の風路上の温度が異常に上昇してしまう。そのためモータの故障や吸い込み口の閉塞等の異常状態がなくても、加熱された再生空気の風路上の温度が異常に上昇し、異常停止となってしまい運転を継続できないという問題があった。
【０００５】
そのため、除湿運転開始時に再生ヒータを通電せずに運転を行ない、 所定時間経過後に温度検知手段によって検知された所定位置の温度が設定温度未満の場合には再生ヒータを通電し、温度検知手段によって検知された所定位置の温度が設定温度以上の場合には再生ヒータを通電せずに運転を行なう制御が知られている。
【０００６】
さらに、室内の湿度によって再生ヒータが再生空気に加える熱量が異なる複数の運転モードから一つの運転モードを決定し、除湿運転を行なう除湿乾燥機機が提案されている。
【０００７】
【特許文献１】特許第３６７６９８５号
【発明の開示】
【発明が解決しようとする課題】
【０００８】
しかしながら、前述のように運転開始時に十分な冷却を行っていても、一旦再生ヒータに通電を開始した後は、運転中の一時的な雰囲気の温度、湿度変化、凝縮機内の圧損の変化、電源電圧の変化等の要因で再生部の温度が上昇した場合にすぐに異常温度停止をしてしまうケースが多い。
加えて異常検知温度を超えた場合は一度発生しただけでエラー停止させてしまうのが一般的である。
また、あらかじめ再生ヒータの熱量を下げて運転してしまうため除湿能力が低くなってしまう。
また、湿度センサの搭載が不可欠であるという問題点があった。
【０００９】
本発明はかかる問題点を解決するためになされたもので、湿度が低い環境で使用しても運転を継続でき、モータの故障や吸い込み口の閉塞等のあきらかな異常が発生した場合のみ安全に停止することができる除湿乾燥機を得ることを目的とする。
【課題を解決するための手段】
【００１０】
本発明に係る除湿乾燥機は、本体内に設置した除湿空気用送風機１２により、本体内に取込んだ室内空気に含まれる水蒸気を除湿空気用送風機１２の上流に設置した除湿ロータで吸湿し、乾燥空気として室内に放出し、一方、再生空気用送風機により送風される乾燥した再生空気を再生ヒータで加熱し、再生空気用送風機の下流に設置した除湿ロータに吹きかけ、除湿ロータから水分を奪って高湿となった再生空気を凝縮器にて凝縮する凝縮サイクルと、再生ヒータの熱量を切換える再生ヒータ制御手段と、加熱された再生空気の風路上の温度を測定する再生部温度測定手段とからなり、前記再生ヒータ制御手段は再生部温度測定手段の測定した温度が再生ヒータ停止温度に達した場合は一旦再生ヒータをオフにし、復帰温度に低下した場合に再度再生ヒータをあらかじめ設定された熱量でオンにする動作を繰り返し、この動作を所定回数繰り返した場合は再生ヒータのオン時の熱量をあらかじめ設定された熱量より下げて運転するように制御する様にしたものである。
【発明の効果】
【００１１】
以上説明したように、本発明の除湿乾燥機によれば、除湿運転終了後冷却時間を置かずに再運転し温度が上昇した場合にもエラー停止することなく運転を継続でき、また、運転中の一時的な雰囲気の温度、湿度変化、凝縮機内の圧損の変化、電源電圧の変化等の要因で再生部の温度が上昇した場合にもエラー停止することなく運転を継続でき、さらに、湿度が低い環境で使用しても運転を継続でき、モータの故障や吸い込み口の閉塞等が発生した場合は安全に停止を行える除湿乾燥機を得ることができる。
【発明を実施するための最良の形態】
【００１２】
実施の形態１．
図１は本発明の実施の形態１に係る除湿乾燥機の本体斜視図、図２は本発明の実施の形態１に係る除湿乾燥機のシステム説明図である。
【００１３】
図１，図２において、吸込口５から本体１に取りこまれた室内空気７は、本体１内部で除湿され、吹出口６から乾燥風１１として室外に放出される。本体１内部で、室内空気７から凝縮された凝縮水は、タンク２に貯まる。
【００１４】
室内空気７は、除湿空気用送風機１２により、本体１内に取り込まれる。取り込まれた室内空気７は、フィルター８で室内空気７に含まれる塵埃、臭気等を除去され、凝縮器９を冷却して、除湿ロータ１０内を通過する。この除湿ロータ１０は、除湿ロータ用モータ１３、歯車やベルトなどのモータ駆動部１３ａにより運転中は回転している。除湿ロータ１０を通過するときに室内空気７中の水分は除湿ロータ１０に吸水され、乾燥風１１として吹出口６より室内に放出される。
【００１５】
次に、凝縮サイクルについて説明する。回転しながら、室内空気７の水分を吸湿した除湿ロータ１０には、除湿ロータ再生部１０ａに到達すると、再生空気用送風機１４により送られ、かつ再生ヒータ１５で加熱された高温の再生空気１７が吹きかけられる。
【００１６】
高温の再生空気を吹きかけられることによって除湿ロータ１０は水分を奪われ、高湿となった再生空気１７ａが凝縮器９内を通過するとき、室内空気７で冷却され、凝縮される。凝縮された凝縮水１８は凝縮器ドレン穴９ａからタンク２内に貯まる。凝縮器９内を通過して乾燥させた再生空気１７ｂは再び再生空気用送風機１４に戻り、以下、この凝縮サイクル工程を繰り返す。
【００１７】
図３は凝縮サイクル内の凝縮器９の斜視図である。複数個の凝縮器ドレン穴９ａが設置されている。凝縮サイクル内の凝縮器９は複数個あっても構わない。凝縮器再生空気取入口９ｂから入った高湿再生空気１７ａは凝縮器再生空気排出口９cから乾燥再生空気１７ｂとなって排出される。
【００１８】
図４は凝縮サイクル風路の凝縮器再生空気取入口９ｂの部分を示す断面図である。再生空気１７は、ヒータケース１６内で再生ヒータ１５により加熱され、ヒータケース１６の接続口２０より放出される。接続口２０は除湿ロータ支持枠１９とヒータケース１６とを連通させるように接続している。接続口２０から除湿ロータ支持枠１９内に入った再生空気１７は、除湿ロータ１０を通過して除湿ロータ支持枠１９の裏面側に設けられた連結口１９ｂを通り、凝縮器再生空気取入口９ｂから凝縮器９に入る。複数個で構成される凝縮器９は接続口２２及び連絡口９ｄによりそれぞれ連通している。
【００１９】
５０ａ、５０ｂは再生部温度測定手段のサーミスタであり、再生空気１７の風路の温度を測定する。再生空気用送風機１４が故障した場合は再生部温度測定手段５０ａが高温となり、除湿ロータ１０のロックや除湿ロータ用モータ１３の故障及び雰囲気が低湿度の場合は再生部温度測定手段５０ｂが高温となる。
【００２０】
図５は、上記除湿乾燥機の操作パネルの構成を示す図である。本体１の上部に配置された操作パネル３には、除湿乾燥機１に対する電源のオン／オフの選択操作を受け付ける運転入／切ボタン３０、運転の入／切状態を表示する運転入／切ランプ３１、運転が終了すると自動的に運転を終了するモードを選択するおてがるモード選択ボタン３２ａは洗濯物の乾燥に適した「ランドリー」または部屋を快適にする「除湿」を選択できる。３３ａは選択したおてがるモードを表示するおてがるモード表示ランプである。
【００２１】
運転使用者の選択した運転を連続して行うモードを選択する連続除湿モード選択ボタン３２は風量やヒータの熱量を抑えた「静音」または風量や熱量をアップした「強」を選択できる。３３ｂは選択した連続除湿モードを表示する連続除湿モード表示ランプである。
【００２２】
お掃除サインランプ３４は除湿乾燥機のお掃除のタイミングをお知らせする。本除湿乾燥機においては運転時間の積算値が所定の時間以上となった場合と再生部温度が所定の温度以上になった場合にお掃除サインランプ３４を点灯させ運転を停止する。時間使用者が除湿乾燥機１のお掃除を行った場合にリセットボタン３５を押してお掃除サインランプ３４をリセットできる。
【００２３】
図６は本発明の実施の形態１に係る除湿乾燥機の制御ブロック図である。６０は制御部でマイクロコンピュータ６６等で構成されている。電源ゼロクロス検出回路４２は本除湿乾燥機の商用交流電源４１の電源位相が０になるポイントを検出する。この信号を基準に制御部６０は送風機の位相制御を行ったり、制御に必要な時間生成を行っている。
【００２４】
除湿空気用送風機機駆動手段４４は制御部６０からの信号により除湿空気用送風機１２の運転を制御する。同様に、再生空気用送風機機駆動手段４５は制御部６０からの信号により再生空気用送風機１４の運転を制御する。本例では前記送風機は位相制御により速度制御されている。電源ゼロクロス時は送風機への通電はオフされており、電源ゼロクロス信号から時間を測定し所定のタイミングで通電をオンする、この電源ゼロクロスからオン信号までの時間が短いと送風機の回転は速くなり（強）、長いと遅くなる（弱）。この信号の出力はは半波毎に繰り返して行う。また、複数の送風機を個別に制御が可能である。
【００２５】
除湿ロータ用モータ１３は除湿ロータ用モータ駆動手段４６によって駆動され除湿ロータ１０を回転させる。
【００２６】
再生ヒータ１５は再生ヒータ駆動手段４７によって加熱量が複数段階に制御される。本例ではヒータ切、弱、強の３段階に制御される。制御方法としてはリレーによる切換えやトライアック等による通電率制御等がある。
【００２７】
再生部温度検出手段５０ａ、５０ｂは加熱された再生空気の風路上の温度を測定する。本例では除湿ロータ１３の前後２ヶ所に設置されている。５１は室内の湿度を検出する湿度検出手段、５２は室内の温度を測定する室温測定手段である。
【００２８】
図７は実施の形態１に係る除湿乾燥機の制御部６０の内部ブロック図である。本発明では制御部６０の動作をマイクロコンピュータ６６が行う。中央演算処理装置（ＣＰＵ）６１は不揮発性メモリ（ＲＯＭ）６２に記憶されたプログラムやデータを読み出し処理を行う。また、ＣＰＵ６１は入力装置６４を経由してセンサーの信号やスイッチの状態を情報として取り入れる。ランダムアクセスメモリー（ＲＡＭ）６３はＣＰＵ６１が演算時に使用する一時的なメモリである。ＣＰＵ６１は出力装置６５を経由して被制御機器の制御を行う。前記動作により除湿乾燥機の制御部６０としての動作を実現する。
【００２９】
６７はマイクロコンピュータ６６のリセット手段で電源電圧を監視し、電源が立ち上がった場合にマイクロコンピュータ６６をリセットしプログラムのスタート番地からマイクロコンピュータ６６を動作させる。６８はクロック発生器でマイクロコンピュータ６６の動作タイミングは全てこのクロック信号により生成される。
【００３０】
図８は本発明の実施の形態１に係る除湿乾燥機の制御フローチャートである。本体１に電源を投入すると制御部を構成するマイクロコンピュータ６６のプログラムがスタートする。前記したリセット手段６７の動作によりマイクロコンピュータ６６がどのような状態にあってもプログラムの先頭から動作を開始する。
【００３１】
マイクロコンピュータ６６がスタートするとステップＳ２にて再生ヒータ１５の最大加熱量リミット値が６００Ｗ（強）に設定される。
【００３２】
ステップＳ３にて運転入／切ボタン３０の状態が監視される。運転入／切ボタン３０が押下されるとステップＳ４にて除湿空気用送風機１２、再生空気用送風機１４および除湿ロータ用モータ１３がオンになる。
【００３３】
次に再生ヒータ１５が最大加熱量にてオンする（ステップＳ５）。ステップＳ２にて最大加熱量リミット値が６００Ｗ（強）に設定されているので６００Ｗ（強）の熱量で加熱を行う。再生部温度検出手段５０にて再生部近傍の温度を監視する。（ステップＳ６）再生部温度がヒータ停止温度以下の場合はステップＳ４に戻って運転を継続する。
【００３４】
ここで、再生部温度がヒータ停止温度以下の場合はステップＳ４に戻り、ステップＳ４に記載の機器（除湿空気用送風機、再生空気用送風機、除湿ロータ用モータ）に再度ＯＮ信号を送信する理由として、ノイズ等の影響により各機器が正しく起動しない状態（暴走等）を防止するために、動作状態をリセットするためである。
本例ではヒータ停止温度は１００℃に設定している。湿度が低い環境や室温の高い環境運転した場合、フィルタにほこり等が詰まったりまたは送風機が故障したりして正規の風量が流れなくなった場合は再生部の温度は上昇する。
【００３５】
再生部温度がヒータ停止温度以上になるとステップ６にて検出されステップＳ７にジャンプして、再生ヒータ１５はオフされる。ステップＳ８にて停止カウントが＋１される。ステップＳ９で停止カウントが第１判定値未満の場合ステップＳ１０にて再生部の温度がヒータ復帰温度以下になっているかを判定する。本例において、第１判定値は３回またヒータ復帰温度はヒータ停止温度−５℃（９５℃）に設定している。
【００３６】
再生部の温度がヒータ復帰温度より高い場合はステップ９に戻る。ステップＳ９〜Ｓ１０の処理を再生部の温度がヒータ復帰温度以下になるまで繰り返す。再生部がヒータ復帰温度以下になるとステップＳ１０からステップＳ５へ戻り再生ヒータが通電される。このステップＳ５〜ステップＳ１０の動作を繰り返し停止カウントが第１判定値以上になるとステップＳ１１へ処理が移る。
【００３７】
ステップＳ１１で停止カウントが第２判定値以上か判定される。第２判定値は第１判定値より大きな値が設定されている。本例では第２判定値は６回に設定している。停止カウントが第２判定値以下の場合はステップＳ１２へ移る。
【００３８】
ステップＳ１２へ移ると最大加熱量リミット値が３００Ｗ（弱）に設定され、ステップＳ１０にてヒータ復帰温度以下になるまで再生ヒータ１５をオフする。ヒータ復帰温度以下になるとステップＳ５にて再生ヒータ１５がオンされる。ここでは最大加熱量リミット値が３００Ｗ（弱）に設定されているため３００Ｗ（弱）での加熱を行う。
【００３９】
加熱量３００Ｗ（弱）になると再生部の温度上昇は低くなりヒータ停止温度に到達しにくくなる。しかし、送風機故障等の重大状態では再生部の温度は再上昇しヒータ停止温度以上となる。
【００４０】
再生部温度≧ヒータ停止温度となった場合ステップＳ６にて判定され、ステップＳ７へ移り再生ヒータ１５が停止し、さらに停止カウントが＋１される。加熱量３００Ｗ（弱）にて再生部温度≧ヒータ停止温度が繰り返され停止カウントが第２判定値以上になった場合ステップＳ１１からステップＳ１３へ処理が移る。
【００４１】
するとステップＳ１３で再生ヒータ１５がＯＦＦし、ステップＳ１４でエラー音を発生し、ステップＳ１５にてエラー表示を行う。
【００４２】
次に、ステップＳ１６において、運転入／切ボタン３０の押しなおし等の再運転操作が行われるとステップ４へジャンプし再度再生ヒータ１５の通電を行う。この場合、停止カウントは３に設定されるので再生ヒータ１５の最大加熱量リミット値は３００Ｗ（弱）となる。
【００４３】
リセット操作をステップＳ１７で検出するとステップＳ２へジャンプし全ての動作が初期化される。この場合、再生ヒータ１５最大加熱量リミット値は６００Ｗ（強）となる。このように、一旦再生ヒータ１５のオン時の熱量をあらかじめ設定された熱量より下げて運転するようになっても所定の操作によってあらかじめ設定した熱量に復帰させることができる。
【００４４】
尚、ステップＳ１１のＹＥＳ方向の下流にあるステップ及び各ステップ間において、再生部温度が所定の温度より下がっていれば、除湿空気用送風機、再生空気用送風機、除湿ロータ用モータをオフしてもよい。
【００４５】
図９は本発明の実施の形態３に係る除湿乾燥機の制御フローチャートである。図８のからの変更部分のみ説明する。ステップＳ１０にてヒータ復帰温度以下の場合ステップ２０で室内の湿度が所定湿度以上か判定する。所定湿度は除湿ロータ１３が吸湿でき、加熱された再生空気の風路上の温度がヒータ停止温度に到達しにくい湿度に設定する。本例では５０％である。
【００４６】
室内湿度が所定湿度以上の場合はステップ２１で高湿度タイマの値が所定時間異常かどうかを判定する。高湿度タイマは室内湿度が安定して高く、再生部の温度上昇がなく、再生ヒータ停止にもならない時間を計測する。つまり、室内の湿度が所定値以上の場合にカウントされ、所定値以下の場合にクリアされる。また、再生部温度がヒータ停止温度以上になった場合にもクリアする。この高湿度タイマが所定時間に達するとステップ２２へ進み停止カウントをクリアし、最大加熱量のリミットを６００Ｗ（強）に設定し、ステップＳ４へジャンプする。このようにすることにより、温度上昇しやすい状態では最大加熱量リミットを３００Ｗに設定することでエラー停止になりにくくなり、また、一旦再生ヒータの最大加熱量のリミットが３００Ｗ（弱）に設定されて場合でも、室内の湿度が高くなり温度上昇しにくい状態が継続し、また再生部温度がヒータ停止温度以下で安定して運転できる場合には自動的に最大加熱量のリミットを６００Ｗ（強）に復帰させることができる。
【００４７】
図１０は本発明の実施の形態１に係る除湿乾燥機の動作タイムチャートである。初期は再生ヒータはの加熱量は６００Ｗ（強）にて運転を行い、停止カウント３回にて３００Ｗとなり、それでもヒータ停止温度を３回繰り返し、停止カウントが６回になると運転を停止し、使用者にエラー音とエラー表示にて異常を知らせる。
ヒータ停止温度とヒータ復帰温度には５℃のヒステリシスを設定し、再生ヒータ駆動回路４７のチャタリングを防止している。
【００４８】
また、停止カウント６回にて再運転を停止しているのは再生ヒータ駆動回路４７をリレーで構成した場合の開閉寿命を考慮しているためである。
上記のように制御することで運転中の一時的な雰囲気の温度、湿度変化、凝縮機内の圧損の変化、電源電圧の変化等の要因で異常温度停止をしてしまうことがなく、またモータの故障や吸い込み口の閉塞等の致命的な異常状態が発生した場合には停止することのできる制御が実現できる。
【図面の簡単な説明】
【００４９】
【図１】本発明の実施の形態１に係る除湿乾燥機の本体斜視図である。
【図２】本発明の実施の形態１に係る除湿乾燥機のシステム説明図である。
【図３】本発明の実施の形態１に係る除湿乾燥機の凝縮器斜視図である。
【図４】本発明の実施の形態１に係る除湿乾燥機の凝縮サイクル風路の部分断面図である。
【図５】本発明の実施の形態１に係る除湿乾燥機の操作パネルである。
【図６】本発明の実施の形態１に係る除湿乾燥機のブロック図である。
【図７】本発明の実施の形態１に係る除湿乾燥機の制御部６０の内部ブロック図である。
【図８】本発明の実施の形態１に係る除湿乾燥機の制御フローチャートである。
【図９】本発明の実施の形態３に係る除湿乾燥機の制御フローチャートである。
【図１０】本発明の実施の形態１に係る除湿乾燥機の動作タイムチャートである。
【符号の説明】
【００５０】
１ 本体、２、本体、３操作パネル、５吸込口、６吹出口、７ 室内空気、８フィルタ、９ 凝縮器、９ａ 凝縮器ドレン穴、９ｂ 凝縮器再生空気取入口、９ｃ 凝縮器再生空気排出口、９ｄ 連絡口、１０ 除湿ロータ、１０ａ 除湿ロータ再生部、１１ 乾燥風、１２ 除湿空気用送風機、１３  除湿ロータ用モータ、１４ 再生空気用送風機、１５ 再生ヒータ、１６ ヒータケース、１７ 再生空気、１７ａ 高湿再生空気、１７ｂ  乾燥再生空気、１８ 凝縮水、１９ 除湿ロータ支持枠、１９ａ 凝縮水ドレン穴、２０  ヒータケースと除湿ロータ支持枠との接続口、２１ 除湿ロータ支持枠と凝縮器との接続口、２２ 凝縮器同士の接続口、３０  運転入／切ボタン、３１  運転入／切ランプ、３２ａ  おてがるモード選択ボタン、３３ａ  おてがるモード表示ランプ、３２ｂ  連続除湿モード選択ボタン、３３ｂ  連続除湿モード表示ランプ、３４  お掃除サインランプ、  ３５  リセットボタン、５０  再生部温度検出手段、５１  湿度測定手段、５２  室温測定手段、６０  制御部
【図１】
0004915372.tif 000002
【図２】
0004915372.tif 000003
【図３】
0004915372.tif 000004
【図４】
0004915372.tif 000005
【図５】
0004915372.tif 000006
【図６】
0004915372.tif 000007
【図７】
0004915372.tif 000008
【図８】
0004915372.tif 000009
【図９】
0004915372.tif 000010
【図１０】
0004915372.tif 000011